(57)【要約】  電力モードの切替え制御を正確に行う。携帯端末（１）は、加速度センサ（１５）にて検出された、縦方向からの、表示画面に平行な方向の傾き角度が、所定角度未満から所定角度以上に変化し、かつ近接センサ（１４）により近接状態が検出された場合に、通常電力モードから省電力モードへの電力モード切替え動作を行う。
2016051947.tif 000002
【特許請求の範囲】
【請求項１】
電力モードとして通常電力モードと前記通常電力モードよりも消費電力が少ない省電力モードとを有し、縦方向を基準方向とする携帯情報端末装置において、
物体が近接した近接状態を検出する近接センサと、
当該携帯情報端末装置の傾き角度を検出する傾きセンサと、
前記傾きセンサにて検出された、前記基準方向からの、表示画面に平行な方向の傾き角度が、所定角度未満から前記所定角度以上に変化し、かつ前記近接センサにより前記近接状態が検出された場合に、前記通常電力モードから前記省電力モードへの電力モード切替え動作を行う電力モード制御部とを備えていることを特徴とする携帯情報端末装置。
【請求項２】
前記近接センサは、前記表示画面を囲む額縁部における前記縦方向の部分に設けられ、
前記電力モード制御部は、当該携帯情報端末装置において前記縦方向に直交する横方向を左右方向として使用する所定の第１の動作、あるいは前記横方向を左右方向として使用する可能性がある所定の第２の動作が行われる場合に、前記電力モード切替え動作を行わないことを特徴とする請求項１に記載の携帯情報端末装置。
【請求項３】
前記電力モード制御部は、前記近接センサにより、前記近接状態と非近接状態とが等時間間隔にて検出された場合に、前記電力モード切替え動作を行わないことを特徴とする請求項１または２に記載の携帯情報端末装置。
【請求項４】
当該携帯情報端末装置の前記縦方向に直交する方向の側面に、使用者が接触した接触状態を検出する接触センサを備え、
前記電力モード制御部は、前記接触センサにより前記接触状態が検出された後に非接触状態が検出され、この非接触状態が検出された時点から所定の第１時間経過後に、前記傾きセンサにて検出された、表示画面に平行な方向の前記縦方向からの傾き角度が所定範囲内である場合に、前記電力モード切替え動作を行わないことを特徴とする請求項１から３のいずれか１項に記載の携帯情報端末装置。
【請求項５】
前記電力モード制御部は、前記傾きセンサにより、当該携帯情報端末装置が、前記縦方向に直交しかつ前記表示画面に平行な横方向を回転の軸方向として、背面側へ倒れる方向に傾いた状態から、直立方向へ起き上がった状態が検出され、この起き上がった状態が所定の第２時間継続し、前記近接センサにより物体の近接が検出された場合に、前記電力モード切替え動作を行うことを特徴とする請求項１から４のいずれか１項に記載の携帯情報端末装置。
【発明の詳細な説明】
【技術分野】
【０００１】
本発明は、携帯電話機やスマートフォンなどの携帯情報端末装置に関する。
【背景技術】
【０００２】
一般に、携帯電話機やスマートフォンなどの携帯情報端末装置（以下、単に携帯端末と称する）では、その携帯端末が有する機能を利用する場合、あらかじめシステムを起動しておく必要がある。しかしながら、全システムを起動しておくと電力の消耗、すなわち電池残量の低下が著しい。このため、携帯端末は、所定の条件を満たした場合、適宜、通常電力モードから省電力モードへ移行するようになっている。【０００３】
上記所定の条件を満たした場合とは、従来、操作のない状態が所定時間経過した場合とされている。あるいは、携帯端末に大きな姿勢変化が起こり、この状態が携帯端末がカバンやポケット等へ収納された状態と判断した場合や、電源キーが押下された場合とされている。省電力モードでは、液晶表示パネルなどの電力消費の多いモジュールへの電力供給を全部あるいは一部停止し、携帯端末の画面はオフ状態となる。【０００４】
携帯端末を省電力モードへ移行させる技術には、特許文献１〜３に記載されたものが知られている。【０００５】
特許文献１には、携帯端末が操作されたときの姿勢を記憶しておき、この記憶された姿勢からの携帯端末の姿勢の変化に基づいて、携帯端末が例えばポケットに入れられた状態かどうかを判断する技術が開示されている。この技術では、携帯端末の姿勢が上記の記憶された姿勢から変化すると、省電力モードへ移行するようになっている。【０００６】
特許文献２には、液晶画面の各画素が外光を検出する光センサ液晶を有し、光の入射量が閾値よりも小さい画素を黒画素と判断し、液晶画面全体の面積に占める黒画素の面積に基づいて、携帯端末が例えばポケットに入れられた状態かどうかを判断する技術が記載されている。この技術では、液晶画面全体の面積の中で、黒画素の面積が閾値以上になると、携帯端末を未使用状態にしている。【０００７】
特許文献３には、携帯端末が操作面に沿って移動する第１の方向と、操作面が向いている方向に存在する物体（例えばポケット）の操作面に沿って移動する第２の方向とを検知し、これら第１の方向および第２の方向によって得られる、一方の方向に沿った他方の方向の成分とその一方の方向との関係に基づいて、携帯端末が例えばポケットに入れられた状態かどうかを判断する技術が記載されている。この技術では、一方の方向に沿った他方の方向の成分とその一方の方向とが反対向きである場合に、携帯端末を第１の状態から、第１の状態よりも消費電力が少ない第２の状態に遷移させるようになっている。
【先行技術文献】
【特許文献】
【０００８】
【特許文献１】日本国公開特許公報「特開２０１３−１７９４７７号公報（２０１３年０９月０９日公開）」
【特許文献２】日本国公開特許公報「特開２０１１−１３３９７６号公報（２０１１年０７月０７日公開）」
【特許文献３】日本国公開特許公報「特開２０１４−７４９９１号公報（２０１４年０４月２４日公開）」
【発明の概要】
【発明が解決しようとする課題】
【０００９】
しかしながら、上記従来の構成では、汎用性のある構成により、携帯端末がポケットやカバン等に収納されて、不使用状態となったことを高精度に検出することができず、通常電力モードから省電力モードへのモード切替え制御を正確に行うことができないという問題点を有している。【００１０】
特許文献１に記載の構成は、例えば、加速度センサを使用したアプリケーションソフトウエア（以下、アプリケーションと称する）によるゲームなど、携帯端末において、携帯端末が大きな姿勢変化を起こすゲームが行われている場合、ゲームの最中に省電力モードへ移行してしまうことになる。また、携帯端末がポケットに収納された状態において、携帯端末の操作面を使用者が指にて触れている場合、携帯端末は省電力モードへ移行することができない。【００１１】
特許文献２に記載の構成は、液晶画面の各画素が外光を検出する光センサ液晶を有するという特殊な構成のものにしか適用できず、汎用性がない。また、液晶画面への光の入射量が大きく変化するような使用状態においては、誤動作が生じ易くなる。【００１２】
特許文献３に記載の構成は、携帯端末の操作面に沿った移動方向と操作面に対向する物体（例えばポケット）の移動方向との関係により、携帯端末の省電力モードへの移行を制御するものである。このため、携帯端末の使用形態によっては、携帯端末が例えばポケットに収納される場合（省電力モードへ移行すべき場合）以外の場合においても省電力モードへ移行する事態が生じ易い。【００１３】
したがって、本発明は、汎用性のある構成にて、携帯端末がポケットやカバン等に収納されて不使用状態となったことを高精度に検出し、通常電力モードから省電力モードへのモード切替え制御を正確に行うことができる携帯情報端末装置の提供を目的としている。
【課題を解決するための手段】
【００１４】
上記の課題を解決するために、本発明の一態様に係る携帯情報端末装置は、電力モードとして通常電力モードと前記通常電力モードよりも消費電力が少ない省電力モードとを有し、縦方向を基準方向とする携帯情報端末装置において、物体が近接した近接状態を検出する近接センサと、当該携帯情報端末装置の傾き角度を検出する傾きセンサと、前記傾きセンサにより、前記基準方向からの、表示画面に平行な方向の傾き角度が所定角度以上の状態が検出され、かつ前記近接センサにより前記近接状態が検出された場合に、前記通常電力モードから前記省電力モードへの電力モード切替え動作を行う電力モード制御部とを備えていることを特徴としている。
【発明の効果】
【００１５】
本発明の一態様によれば、汎用性のある構成にて、携帯端末がポケットやカバン等に収納されて不使用状態となったことを高精度に検出し、通常電力モードから省電力モードへのモード切替え制御を正確に行うことができる。
【図面の簡単な説明】
【００１６】
【図１】図１の（ａ）は、本発明の実施の形態における、使用者に把持された状態の携帯端末を示す正面図、図１の（ｂ）は、図１の（ａ）に示した携帯端末についてのｘ軸回り、ｙ軸回りおよびｚ軸回りの傾きの説明図である。
【図２】図１の（ａ）に示した携帯端末の構成を示すブロック図である。
【図３】図１の（ａ）に示した携帯端末が、使用者が着用している衣服のポケットに収納される状態を示す説明図である。
【図４】図４の（ａ）は、図１の（ａ）に示した携帯端末が直立状態（破線）からｒｏｌｌ方向へ１２０°傾いた状態（実線）を示す説明図、図４の（ｂ）は、上記携帯端末が直立状態（破線）からｒｏｌｌ方向へ−１２０°傾いた状態（実線）を示す説明図である。
【図５】図５の（ａ）は、図１の（ａ）に示した携帯端末がｒｏｌｌ方向へ１２０°以上傾いた状態において、情報を縦画面にて表示するアプリケーションが作動中（縦画面固定）である場合を示す説明図、図５の（ｂ）は、上記携帯端末がｒｏｌｌ方向へ１２０°以上傾いた状態において、情報を横画面にて表示するアプリケーションが作動中（横画面固定）である場合を示す説明図である。
【図６】図６の（ａ）は、図１の（ａ）に示した携帯端末を使用者が持ち、携帯端末の持ち手を振りながら歩行している状態を示す説明図、図６の（ｂ）は、上記携帯端末の電話機能による通話中の状態を示す説明図、図６の（ｃ）は、使用者により携帯端末を横持ちされ易い特定アプリケーションが作動中の状態を示す説明図である。
【図７】図１の（ａ）に示した携帯端末についての不使用状態によるモード切替え制御に関する動作を示すフローチャートである。
【図８】図８の（ａ）は、本発明の他の実施の形態における、使用者に把持された状態の携帯端末を示す正面図、図８の（ｂ）は、使用者による携帯端末の非グリップ状態を示す説明図である。
【図９】図８の（ａ）に示した携帯端末の構成を示すブロック図である。
【図１０】図１０の（ａ）は、図８の（ｂ）に示した携帯端末において、情報を縦画面にて表示するアプリケーションが作動中（縦画面固定）である場合を示す説明図、図１０の（ｂ）は、上記携帯端末において、情報を横画面にて表示するアプリケーションが作動中（横画面固定）である場合を示す説明図である。
【図１１】図８の（ａ）に示した携帯端末が、使用者が着用している衣服のポケットに収納される状態を示す説明図である。
【図１２】図１２の（ａ）は、図８の（ａ）に示した携帯端末のｒｏｌｌ方向の傾き角度の８０°から１１０°の範囲を示す説明図、図１２の（ｂ）は、上記携帯端末のｒｏｌｌ方向の傾き角度の−１１０°から−８０°の範囲を示す説明図である。
【図１３】図８の（ａ）に示した携帯端末に対する使用者の保持状態が、グリップ状態、非グリップ状態および横持ち状態に遷移する過程を示す説明図である。
【図１４】図８の（ａ）に示した携帯端末についての不使用状態によるモード切替え制御に関する動作を示すフローチャートである。
【図１５】図１５の（ａ）は、本発明のさらに他の実施の形態における携帯端末が直立している状態（実線）、および携帯端末が傾斜している状態（携帯端末３が使用されている状態、破線）を示す側面図、図１５の（ｂ）は、図１５の（ａ）に示した携帯端末がポケットに収納される状態を示す説明図、図１５の（ｃ）は、図１５の（ａ）に示した携帯端末がポケットに収納された状態を示す説明図である。
【図１６】図１５の（ｃ）の状態において、携帯端末の表示パネルの画面がオフとなった状態示す説明図である。
【図１７】図１５の（ａ）に示した携帯端末についての不使用状態によるモード切替え制御に関する動作を示すフローチャートである。
【発明を実施するための形態】
【００１７】
〔実施の形態１〕
本発明の実施の形態を図面に基づいて以下に説明する。
【００１８】
（携帯端末１の概要）
図１の（ａ）に示すように、本実施の形態において、携帯端末１は、使用者が片手にて把持できる縦長の矩形に形成されたいわゆるスマートフォンである。携帯端末１は、正面に表示入力部１１が設けられ、表示入力部１１の周りに額縁部１２が設けられている。額縁部１２の上部には、レシーバ１３および近接センサ１４が設けられ、額縁部１２の下部には、加速度センサ１５が設けられている。加速度センサ１５は、額縁部１２の内部に配置されている。
【００１９】
表示入力部１１は、タッチパネル機能を有するディスプレイ・タッチパネルであり、画面に各種の情報を表示するとともに、画面よりユーザの指示入力を受け付けるユーザインタフェースである。表示入力部１１は、タッチパネル２６（図２参照）、表示パネル２７（図２参照）を備えた構成であり、表示パネル２７には、液晶表示パネル（ＬＣＤ）や有機ＥＬディスプレイ（ＯＬＥＤ）などが用いられる。
【００２０】
レシーバ１３は、電話機能の使用時等において、音声信号を再生し、音声を発する。近接センサ１４は、物体が当該近接センサ１４に近接した状態であることを検出する。本実施の形態において、近接センサ１４の感知対象は人体に限らず、携帯端末１が鞄やポケットの中に入れられた場合に近接すると想定される、布や鞄の中のものなど、物体全般である。
【００２１】
加速度センサ１５は、携帯端末１における各方向の傾き角度を検出する。なお、ここでは傾きセンサとして加速度センサ１５を例示するが、傾きセンサは、その他、ジャイロセンサや地磁気センサであってもよい。
【００２２】
（携帯端末１の各軸回りの回転）
図１の（ｂ）は、携帯端末１についてのｘ軸回り、ｙ軸回りおよびｚ軸回りの傾きの説明図である。図１の（ｂ）において、ａｚｉｍｕｔｈはｙ軸回りの傾き、ｐｉｔｃｈはｘ軸回りの傾き、ｒｏｌｌはｚ軸回りの傾きをそれぞれ示している。ｐｉｔｃｈは、携帯端末１の表示入力部１１のｘｙ平面と平行であり、表示入力部１１がｚ軸のプラス方向側に存在する状態を０°としている。ｒｏｌｌは、携帯端末１の側面がｙ軸と並行であり、表示入力部１１がｚ軸のプラス方向側に存在する状態を０°としている。
【００２３】
（携帯端末１の構成）
図２に示すように、携帯端末１は、主制御部（電力モード制御部）２１、メモリ２２、センサ入力制御部２３、前記近接センサ１４、前記加速度センサ（傾きセンサ）１５、前記レシーバ１３、タッチパネル制御部２４、表示ドライバ２５および前記表示入力部１１を備えている。
【００２４】
メモリ２２は、主制御部２１の動作に伴う各種情報を記憶する。センサ入力制御部２３は、近接センサ１４および加速度センサ１５から入力された情報を主制御部２１に伝える。
【００２５】
タッチパネル制御部２４は、使用者によりタッチパネル２６が操作されて指示が入力されると、この入力を主制御部２１に伝達する。表示ドライバ２５は、主制御部２１からの指示に応じて表示パネル２７を駆動し、表示パネル２７に各種情報を表示させる。主制御部２１は、携帯端末１における各部を制御する。
【００２６】
（不使用時間によるモード切替え制御）
主制御部２１は、次のように、携帯端末１の不使用時間によるモード切替え制御（一般的なモード切替え制御）を行う。すなわち、主制御部２１は、携帯端末１（例えばタッチパネル２６）に対して使用者による操作のない状態のまま所定時間が経過すると、携帯端末１を全システムが作動している通常電力モードから、通常電力モードよりも電力消費が少ない（例えば必要な構成要素のみに電力を供給する）省電力モードへと移行させる。省電力モードでは、表示入力部１１への通電が停止され、表示パネル２７の画面がオフとなる。
【００２７】
また、主制御部２１は、携帯端末１が省電力モードへ移行した状態において、携帯端末１（例えばタッチパネル２６）に対して使用者による操作が行われると、携帯端末１を通常電力モードへと復帰させる。通常電力モードでは、表示入力部１１への通電が行われ、表示パネル２７の画面がオンとなる。
【００２８】
（不使用状態によるモード切替え制御）
また、主制御部２１は、次のように、携帯端末１の不使用状態によるモード切替え制御を行う。この制御は、携帯端末１が使用者の衣服のポケットやカバンに収納された場合に、携帯端末１を通常電力モードから省電力モードへ移行させるものである。本実施の形態では、使用者が着用する衣類のポケットに携帯端末１が収納された状態を携帯端末１の不使用状態として説明する。
【００２９】
主制御部２１は、不使用状態によるモード切替え制御において、加速度センサ１５にて検出された携帯端末１のｒｏｌｌ方向の傾き角度をセンサ入力制御部２３を介して入力し、その傾き角度が１２０°未満から１２０°以上に変化した場合に、近接センサ１４をオンにする。なお、携帯端末１の基準方向は縦長形状の携帯端末１の縦方向であり、傾き角度が０°の状態は携帯端末１が鉛直方向に直立した状態である。また、ポケット３１に携帯端末１が収納される場合（図３参照）、近接センサ１４にて検出される物体はポケット３１である。また、近接センサ１４は、消費電流を抑制するため、５秒後にオフにする。
【００３０】
図４の（ａ）は、携帯端末１が直立状態（破線）からｒｏｌｌ方向へ１２０°傾いた状態を示す説明図、図４の（ｂ）は、携帯端末１が直立状態（破線）からｒｏｌｌ方向へ−１２０°傾いた状態を示す説明図である。
【００３１】
ただし、主制御部２１は、上記近接センサ１４のオンを、文字、画像あるいは映像等の情報を縦画面にて表示する（携帯端末１の縦方向（長手方向）を上下方向をとして使用する）アプリケーションが作動中である場合には実行する。一方、上記情報を横画面にて表示する（携帯端末１の横方向（幅方向）を上下方向として使用する）アプリケーションが作動中である場合には実行しない。
【００３２】
図５の（ａ）は、携帯端末１がｒｏｌｌ方向へ１２０°以上傾いた状態において、情報を縦画面にて表示するアプリケーションが作動中（縦画面固定）である場合を示す説明図、図５の（ｂ）は、携帯端末１がｒｏｌｌ方向へ１２０°以上傾いた状態において、情報を横画面にて表示するアプリケーションが作動中（横画面固定）である場合を示す説明図である。
【００３３】
近接センサ１４のオンを、情報を横画面にて表示するアプリケーションが作動中である場合には実行しない理由は、図５の（ｂ）に示すように、使用者の指が、携帯端末１に近接している物体として、近接センサ１４にて検出され易いためである。このような状態にて近接センサ１４をオンにすると、図５の（ｂ）に示した状態を携帯端末１がポケット３１に収納された状態として誤検出される可能性がある。
【００３４】
（不使用状態によるモード切替え制御を行わない場合）
主制御部２１は、図５の（ｂ）に示した場合を含み、次の場合に不使用状態によるモード切替え制御を行わない。
【００３５】
（１）携帯端末１において、情報を横画面にて表示するアプリケーション（第１の動作）が作動中（横画面固定）である場合（図５の（ｂ））。
【００３６】
（２）近接センサ１４のオン後に、近接センサ１４により携帯端末１に対する物体の近接と非近接とがほぼ等時間間隔（等時間一定の周期）にて検出されている場合
この場合は、図６の（ａ）に示すように、使用者が携帯端末１を持った状態にて、携帯端末１を持つ手を振りながら歩行し、近接センサ１４が使用者のズボン３２の側面に反応している場合が考えられる。したがって、この場合は、携帯端末１がポケット３１に収納された状態ではなく、モード切替え制御（省電力モードへの移行）を行わない。
【００３７】
（３）レシーバ１３がオンになっている場合
電話機能による通話中など、レシーバ１３がオンになっている場合、通常、携帯端末１は使用者の顔に触れている。したがって、この場合に近接センサ１４がオンになっていると、近接センサ１４は常に使用者の顔を携帯端末１に近接している物体として検出する。このため、図６の（ｂ）に示すように、ベッドの上で横になりながら携帯端末１をｒｏｌｌ方向に１２０°以上傾けて通話すると、不使用状態によるモード切替え制御が行われ、携帯端末１は省電力モードに移行することになる。そこで、レシーバ１３がオンになっている場合には、不使用状態によるモード切替え制御を行わないようにする。
【００３８】
（４）携帯端末１が横持ちされ易いアプリケーションが作動中である場合
携帯端末１において、作動中のアプリケーションが横画面固定のものではないものの、カメラ機能など、使用者により携帯端末１を横持ちされ易いアプリケーション（第２の動作、特定のアプリケーション）が作動中の場合には、図６の（ｃ）に示すように、携帯端末１が横持ちされ易い。この場合に、近接センサ１４がオンになっていると、近接センサ１４により使用者の手が携帯端末１に近接している物体として検出される。この状態において、さらに携帯端末１が１２０°以上傾けて使用されると、不使用状態によるモード切替え制御が行われ、携帯端末１は省電力モードに移行することになる。そこで、携帯端末１が横持ちされ易い特定のアプリケーションが作動中である場合には、近接センサ１４をオンにせず、不使用状態によるモード切替え制御を行わないようにする。
【００３９】
（５）近接センサ１４が不使用状態によるモード切替え制御以外の機能に使用されている場合
近接センサ１４が不使用状態によるモード切替え制御以外の機能に使用されている場合において、近接センサ１４の検出結果を使用すると、携帯端末１がポケット３１に収納された状態（携帯端末１の不使用状態）の検出において、誤検出を生じる可能性が高まる。そこで、この場合には、不使用状態によるモード切替え制御を行わないようにする。
【００４０】
（携帯端末１の動作）
上記の構成において、不使用状態によるモード切替え制御に関する携帯端末１の動作について、以下に説明する。
【００４１】
図７に示すように、主制御部２１は、携帯端末１の電源がオンになると、電力モードを通常電力モードとして、表示パネル２７をオンにする（Ｓ１１）。
【００４２】
次に、主制御部２１は、レシーバ１３がオンかどうかを判定し（Ｓ１２）、レシーバ１３がオンでなければ、次に、使用者により携帯端末１を横持ちされ易いアプリケーション（特定のアプリケーション）が作動中かどうかを判定する（Ｓ１３）。この判定の結果がｎｏであれば、加速度センサ１５をオンにする（Ｓ１４）。なお、Ｓ１２での判定結果がｙｅｓの場合、およびＳ１３での判定結果がｙｅｓの場合には、それぞれＳ１２に戻る。
【００４３】
次に、主制御部２１は、携帯端末１のｒｏｌｌ方向の傾き角度が１２０°未満から１２０°以上に変化したかどうかを判定し（Ｓ１５）、この判定結果がｙｅｓの場合には、携帯端末１において作動中のアプリケーションが横画面固定のものかどうかを判定する（Ｓ１６）。この判定の結果がｎｏであれば、近接センサ１４をオンにする（Ｓ１７）。なお、Ｓ１５での判定結果がｎｏの場合、およびＳ１６での判定結果がｙｅｓの場合には、それぞれＳ１５へ戻る。
【００４４】
次に、主制御部２１は、近接センサ１４のオンから５秒以上経過していない状態において（Ｓ１８）、近接センサ１４による近接と非近接との検出がほぼ等時間間隔（一定周期）かどうかを判定する（Ｓ１９）。さらに、Ｓ１９での判定結果がｎｏである場合、３００ｍｓ（ミリ秒）以上の連続した物体の近接を検出したかどうかを判定する（Ｓ２０）。
【００４５】
主制御部２１は、上記Ｓ１８〜Ｓ２０の判定において、近接センサ１４のオンから５秒以上経過していない状態において（Ｓ１８）、近接センサ１４による近接と非近接との検出周期が一定周期ではなく（Ｓ１９）、３００ｍｓ以上の連続した物体の近接を検出すれば（Ｓ２０）、携帯端末１を省電力モードへと移行させ、表示パネル２７の画面をオフにさせる（Ｓ２１）。その後、動作を終了する。
【００４６】
一方、主制御部２１は、上記Ｓ１８〜Ｓ１９の判定において、近接センサ１４のオンから５秒以上経過していない状態において（Ｓ１８）、近接センサ１４による近接と非近接との検出がほぼ等時間間隔（一定周期）であれば（Ｓ１９）、近接センサ１４をオフにして（Ｓ２２）、Ｓ１５へ戻る。
【００４７】
さらに、主制御部２１は、上記Ｓ１８〜Ｓ２０の判定において、近接センサ１４のオンから５秒以上経過していない状態において（Ｓ１８）、近接センサ１４による近接と非近接との検出がほぼ等時間間隔（一定周期）ではなく（Ｓ１９）、３００ｍｓ以上の連続した物体の近接を検出しなければ（Ｓ２０）、Ｓ１８へ戻る。その後、Ｓ１８〜Ｓ２０の動作を繰り返し、Ｓ１８において近接センサ１４のオンから５秒以上経過すると、近接センサ１４をオフにしてＳ１５へ戻る。
【００４８】
なお、携帯端末１のｒｏｌｌ方向への傾き角度の変化が、例えば１１９°から１３０°といった非常に小さい変化である場合には、使用者が携帯端末１を少し傾けただけの場合など、携帯端末１がポケット３１に入れられていないことが考えられる。そこで、傾き角度の変化が小さい場合には、携帯端末１がポケット３１に収納された状態と見なすための、近接センサ１４による近接状態の連続検出時間（３００ｍｓ（ミリ秒））、図７のＳ２０参照）を長くする一方、傾き角度の変化が大きい場合には、上記連続検出時間を短くしてもよい。また、上記ｒｏｌｌ方向の傾き角度の閾値は、１２０°に限定されず、９０°〜１８０°の範囲の角度から選択された角度を採用してもよい。
【００４９】
（携帯端末１の利点）
以上のように、本実施の形態の携帯端末１は、加速度センサ１５にて検出される携帯端末１のｒｏｌｌ方向の傾き角度が１２０°未満から１２０°以上に変化し（第１の条件、Ｓ１５）、かつ近接センサ１４による物体の近接状態の連続検出時間が所定時間（３００ｍｓ）以上となった場合（第２の条件、Ｓ２０）に、携帯端末１を通常電力モードから省電力モードへ切り替えるようになっている。すなわち、上記第１および第２の条件が満たされた場合に、携帯端末１がポケット３１あるいはカバン等に収納されて、携帯端末１が不使用状態であると判断し、携帯端末１を省電力モードとしている。
【００５０】
これにより、携帯端末１がポケット３１あるいはカバン等に収納されて、携帯端末１が不使用状態となったことを高精度に検出でき、通常電力モードから省電力モードへのモード切替え制御を正確に行うことができる。
【００５１】
また、（１）携帯端末１において、情報を横画面にて表示するアプリケーションが作動中（横画面固定）である場合、（２）近接センサ１４のオン後に、近接センサ１４により携帯端末１に対する物体の近接と非近接とがほぼ一定の周期にて検出されている場合、（３）レシーバ１３がオンになっている場合、（４）携帯端末１が横持ちされ易いアプリケーションが作動中である場合、並びに（５）近接センサ１４が不使用状態によるモード切替え制御以外の機能に使用されている場合には、それぞれ、不使用状態によるモード切替え制御（通常電力モードから省電力モードへのモード切替え制御）を行わないようになっている。これにより、携帯端末１がポケット３１あるいはカバン等に収納された状態（携帯端末１の不使用状態）の誤検出を防止して、携帯端末１の通常電力モードから省電力モードへのモード切替え制御をさらに正確に行うことができる。
【００５２】
〔実施の形態２〕
本発明の他の実施の形態を図面に基づいて以下に説明する。
【００５３】
（携帯端末２の概要）
図８の（ａ）に示すように、携帯端末２は、額縁部１２の両方の側部に、グリップセンサ１６が設けられている。グリップセンサ１６は、例えばタッチセンサであり、グリップセンサ（接触センサ）１６に対する使用者の例えば指の接触を検出することにより、携帯端末２が使用者により把持されている状態を検出するものである。グリップセンサ１６の検出結果は、センサ入力制御部２３を介して主制御部２１へ入力される。
【００５４】
主制御部２１は、図８の（ａ）に示すように、使用者が両方のグリップセンサ１６に触れている場合には、使用者による携帯端末２のグリップ中と判定する。一方、主制御部２１は、図８の（ｂ）に示すように、携帯端末２が使用者にグリップされていても、使用者が両方のグリップセンサ１６に触れていない場合には、使用者による携帯端末２の非グリップ中と判定する。なお、グリップセンサ１６は、額縁部１２の両方の側部に設けられている構成としているが、額縁部１２の片方の側部にのみ設けられていてもよい。
【００５５】
（携帯端末２の構成）
図９に示すように、携帯端末２は、図２に示した携帯端末１の構成に加えて、グリップセンサ１６を備えている。携帯端末２の他の構成は、携帯端末１と同様である。
【００５６】
（不使用状態によるモード切替え制御）
携帯端末２において、主制御部２１は、携帯端末２の不使用状態によるモード切替え制御を行う。この制御は、携帯端末１の場合と同様である。
【００５７】
すなわち、主制御部２１は、近接センサ１４のオンを、文字、画像あるいは映像等の情報を縦画面にて表示するアプリケーションが作動中である場合（図１０の（ａ）参照）には実行する一方、上記情報を横画面にて表示するアプリケーションが作動中である場合（図１０の（ｂ）参照）には実行しない。
【００５８】
また、主制御部２１は、不使用状態によるモード切替え制御において、加速度センサ１５にて検出された携帯端末２のｒｏｌｌ方向の傾き角度が１２０°（所定角度）未満から１２０°（所定角度）以上に変化した場合に、近接センサ１４をオンにし、ポケット３１に携帯端末２が収納される場合（図１１参照）に、電力モードを通常電力モードから省電力モードに切り替える。
【００５９】
（不使用状態によるモード切替え制御を行わない場合）
携帯端末２において、主制御部２１は、携帯端末１と同様、前述の（１）〜（５）の場合に、不使用状態によるモード切替え制御を行わない。さらに、次の（６）の場合にも不使用状態によるモード切替え制御を行わない。なお、前述の（１）〜（５）において、携帯端末１は携帯端末２と読み替える。
【００６０】
（６）使用者による携帯端末２のグリップ状態から非グリップ状態（図８の（ｂ））になった時点から１秒（第１時間）後の携帯端末２のｒｏｌｌ方向の傾き角度が、８０°から１１０°の範囲内（図１２の（ａ）参照）あるいは−１１０°から−８０°の範囲内（図１２の（ｂ）参照）である場合。
【００６１】
この場合には、図１３に示すように、使用者による携帯端末２のグリップ状態→非グリップ状態（縦持ち状態から横持ち状態への移行途中）→横持ち状態、という保持状態の遷移が想定される。この場合、近接センサ１４がオンになっていると、電力モードが通常電力モードから省電力モードへ移行し、画面がオフになる可能性がある。そこで、この場合には、上記（１）および（４）の場合と同様、近接センサ１４をオンにせず、不使用状態によるモード切替え制御を行わないようにする。
【００６２】
（携帯端末２の動作）
上記の構成において、不使用状態によるモード切替え制御に関する携帯端末２の動作について、図１４に基づいて以下に説明する。なお、図１４では図７に示した動作と同一の動作には同一のステップ番号を付記している。
【００６３】
図１４に示すように、主制御部２１は、前述のように、Ｓ１１〜Ｓ１３の処理を経て加速度センサ１５をオンにする（Ｓ１４）。さらに、主制御部２１は、グリップセンサ１６をオンにする（Ｓ３１）。
【００６４】
次に、主制御部２１は、使用者による携帯端末２の保持状態がグリップ状態から非グリップ状態に移行してから１秒経過したかどうかを判定し（Ｓ３２）、この判定結果がｙｅｓであれば、携帯端末１のｒｏｌｌ方向の傾き角度が、８０°から１１０°の範囲内あるいは−１１０°から−８０°の範囲内であるかどうかを判定する（Ｓ３３）。この判定結果がｎｏであれば、さらに、主制御部２１は、携帯端末２において作動中のアプリケーションが横画面固定のものかどうかを判定する（Ｓ１６）。この判定の結果がｎｏであれば、近接センサ１４をオンにする（Ｓ１７）。なお、Ｓ３２での判定結果がｎｏの場合、Ｓ３３での判定結果がｙｅｓの場合、およびＳ１６での判定結果がｙｅｓの場合には、それぞれＳ３２へ戻る。また、近接センサ１４は、消費電流を抑制するため、５秒後にオフにする。
【００６５】
次に、主制御部２１は、近接センサ１４のオンから５秒以上経過していない状態において（Ｓ１８）、３００ｍｓ以上の連続した物体の近接を検出すれば（Ｓ２０）、携帯端末２を省電力モードへと移行させ、表示パネル２７の画面をオフにさせる（Ｓ２１）。その後、動作を終了する。
【００６６】
一方、主制御部２１は、上記Ｓ１８およびＳ２０の判定において、近接センサ１４により３００ｍｓ以上の連続した物体の近接を検出することなく（Ｓ２０）、近接センサ１４のオンから５秒以上経過すれば（Ｓ１８）、近接センサ１４をオフにしてＳ３２へ戻る。
【００６７】
（携帯端末２の利点）
以上のように、本実施の形態の携帯端末２は、携帯端末１と同様の利点を有する。また、上記（１）〜（５）の場合に加えて、（６）使用者による携帯端末２のグリップ状態から非グリップ状態（図８の（ｂ））になった時点から１秒後の携帯端末２のｒｏｌｌ方向の傾き角度が、８０°から１１０°の範囲内あるいは−１１０°から−８０°の範囲内である場合にも、近接センサ１４をオンにせず、不使用状態によるモード切替え制御を行わないようになっている。これにより、携帯端末１がポケット３１あるいはカバン等に収納された状態（携帯端末１の不使用状態）の誤検出を防止して、携帯端末１の通常電力モードから省電力モードへのモード切替え制御をさらに正確に行うことができる。
【００６８】
〔実施の形態３〕
本発明のさらに他の実施の形態を図面に基づいて以下に説明する。
【００６９】
（携帯端末３の構成）
本実施の形態の携帯端末３は、携帯端末１と同様、図２に示した構成を備えている。
【００７０】
（不使用状態によるモード切替え制御）
図１５の（ａ）は、本発明のさらに他の実施の形態における携帯端末３が直立している状態、および携帯端末３が傾斜している状態（携帯端末３が使用されている状態）を示す側面図、図１５の（ｂ）は、携帯端末３がポケット３１に収納される状態を示す説明図、図１５の（ｃ）は、携帯端末３がポケット３１に収納された状態を示す説明図である。
【００７１】
携帯端末３において、主制御部２１は、携帯端末３の不使用状態によるモード切替え制御を行う。この制御は、前述した携帯端末１の場合と同様である。主制御部２１は、さらに次の場合に不使用状態によるモード切替え制御を行い、通常電力モードから省電力モードへの切り替えを行う。
【００７２】
すなわち、携帯端末３がｐｉｔｃｈ方向に傾いた状態（図１５の（ａ）の破線の状態）から直立した状態（図１５の（ａ）の実線の状態）となり、この状態が１秒継続し、近接センサ１４がオンとなった後、近接センサ１４により所定時間（第２時間、３００ｍｓ以上連続して物体の近接が検出された場合（図１５の（ｂ）の実線の場合、および図１５の（ｃ）の場合）である。この場合には、図１６に示すように、携帯端末３は通常電力モードから省電力モードへ切り替えられ、表示パネル２７の画面がオフとなる。
【００７３】
上記の場合は、使用者による携帯端末３に対しての次のような操作を想定している。すなわち、まず、使用者が、ポケット３１に収納されている携帯端末３を携帯端末３の上部を握って取り出す。あるいは、時計（時間）の確認のために、上部だけがポケット３１から露出するように、携帯端末３をポケット３１から引き出す。次に、携帯端末３をｐｉｔｃｈ方向に傾けて表示パネル２７の画面を確認する。その後、携帯端末３を直立状態とし、ポケット３１の内部に再度収納する。
【００７４】
（不使用状態によるモード切替え制御を行わない場合）
携帯端末３において、主制御部２１は、携帯端末１と同様、前述の（１）〜（５）の場合に、不使用状態によるモード切替え制御を行わない。なお、前述の（１）〜（５）において、携帯端末１は携帯端末３と読み替える。
【００７５】
（携帯端末３の動作）
上記の構成において、不使用状態によるモード切替え制御に関する携帯端末３の動作について、図１７に基づいて以下に説明する。なお、図１７において図７に示した動作と同一の動作には同一のステップ番号を付記している。
【００７６】
図１７に示すように、主制御部２１は、前述のように、Ｓ１１〜Ｓ１３の処理を経て加速度センサ１５をオンにする（Ｓ１４）。
【００７７】
次に、主制御部２１は、携帯端末３がｐｉｔｃｈ方向に傾いた状態から直立した状態となり、この状態が１秒継続したかどうかを判定し（Ｓ４１）、この判定結果がｙｅｓであれば、携帯端末３において作動中のアプリケーションが横画面固定のものかどうかを判定する（Ｓ１６）。この判定の結果がｎｏであれば、近接センサ１４をオンにする（Ｓ１７）。なお、Ｓ４１での判定結果がｎｏの場合、Ｓ１６での判定結果がｙｅｓの場合には、それぞれＳ４１へ戻る。また、近接センサ１４は、消費電流を抑制するため、５秒後にオフにする。
【００７８】
次に、主制御部２１は、近接センサ１４のオンから５秒以上経過していない状態において（Ｓ１８）、３００ｍｓ以上の連続した物体の近接を検出すれば（Ｓ２０）、携帯端末３を省電力モードへと移行させ、表示パネル２７の画面をオフにさせる（Ｓ２１）。その後、動作を終了する。
【００７９】
一方、主制御部２１は、上記Ｓ１８およびＳ２０の判定において、近接センサ１４により３００ｍｓ以上の連続した物体の近接を検出することなく（Ｓ２０）、近接センサ１４のオンから５秒以上経過すれば（Ｓ１８）、近接センサ１４をオフにしてＳ４１へ戻る。
【００８０】
（携帯端末３の利点）
以上のように、本実施の形態の携帯端末３は、携帯端末１と同様の利点を有する。さらに、使用者が、ポケット３１に収納されている携帯端末３を携帯端末３の上部を握って取り出し（あるいは、時計（時間）の確認のために、上部だけがポケット３１から露出するように、携帯端末３をポケット３１から引き出し）、表示パネル２７の画面を確認した後、ポケット３１の内部に再度収納したような場合にも、携帯端末３を適切に通常電力モードから省電力モードへ移行させることができる。これにより、携帯端末３がポケット３１あるいはカバン等に収納された状態（携帯端末３の不使用状態）の誤検出を防止して、携帯端末３の通常電力モードから省電力モードへのモード切替え制御をさらに正確に行うことができる。
【００８１】
〔ソフトウェアによる実現例〕
携帯端末１〜３の制御ブロック（特に主制御部２１）は、集積回路（ＩＣチップ）等に形成された論理回路（ハードウェア）によって実現してもよいし、ＣＰＵ（Central Processing Unit）を用いてソフトウェアによって実現してもよい。
【００８２】
後者の場合、携帯端末１〜３は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８３】
〔まとめ〕
本発明の態様１に係る携帯情報端末装置は、電力モードとして通常電力モードと前記通常電力モードよりも消費電力が少ない省電力モードとを有し、縦方向を基準方向とする携帯情報端末装置において、物体が近接した近接状態を検出する近接センサと、当該携帯情報端末装置の傾き角度を検出する傾きセンサ（加速度センサ１５）と、前記傾きセンサにて検出された、前記基準方向からの、表示画面に平行な方向の傾き角度が、所定角度未満から前記所定角度以上に変化し、かつ前記近接センサにより前記近接状態が検出された場合に、前記通常電力モードから前記省電力モードへの電力モード切替え動作を行う電力モード制御部（主制御部２１）とを備えている。
【００８４】
上記の構成によれば、上記の構成によれば、電力モード制御部は、傾きセンサにて検出された、基準方向からの、表示画面に平行な方向の傾き角度が、所定角度未満から前記所定角度以上に変化し（携帯情報端末装置を表示画面に平行な方向に、所定角度未満から所定角度以上に傾けて例えばポケットに収納する状態となり）、かつ近接センサにより近接状態（携帯情報端末装置がポケットに収納された状態）が検出された場合に、通常電力モードから省電力モードへの電力モード切替え動作を行う。なお、近接センサにより近接状態が検出された場合は、近接センサにより所定時間以上の近接状態が検出された場合としてもよい。これにより、携帯情報端末装置がポケットやカバン等に収納されて、不使用状態となったことを正確に検出でき、通常電力モードから省電力モードへのモード切替え制御を正確に行うことができる。
【００８５】
本発明の態様２に係る携帯情報端末装置は、上記態様１において、前記近接センサは、前記表示画面を囲む額縁部における前記縦方向の部分に設けられ、前記電力モード制御部は、当該携帯情報端末装置において前記縦方向に直交する横方向を左右方向として使用する所定の第１の動作、あるいは前記横方向を左右方向として使用する可能性がある所定の第２の動作が行われる場合に、前記電力モード切替え動作を行わない構成としてもよい。
【００８６】
上記の構成によれば、電力モード制御部は、当該携帯情報端末装置において縦方向に直交する横方向を左右方向として使用する所定の第１の動作（例えば、携帯情報端末装置を横持ち状態とする横画面固定のアプリケーションソフトウエアの作動）、あるいは横方向を左右方向として使用する可能性がある所定の第２の動作（例えば、携帯情報端末装置を横持ち状態とする可能性があるカメラ機能の作動）が行われる場合に、電力モード切替え動作を行わない。これにより、近接センサが使用者の指を近接した物体として検出し、誤って電力モード切替え動作が行われる事態を防止することができる。
【００８７】
本発明の態様３に係る携帯情報端末装置は、上記態様１または２において、前記電力モード制御部は、前記近接センサにより、前記近接状態と非近接状態とが等時間間隔にて検出された場合に、前記電力モード切替え動作を行わない構成としてもよい。
【００８８】
上記の構成によれば、近接状態と非近接状態とが等時間間隔（一定周期）にて検出された場合は、例えば、使用者が携帯情報端末装置を持った状態にて、携帯情報端末装置を持つ手を振りながら歩行し、近接センサが使用者のズボンの側面に反応している状態が想定される。したがって、このような場合は、電力モード切替え動作を行わないことが好ましく、これにより、近接センサが使用者の例えばズボンを近接した物体として検出し、誤って電力モード切替え動作が行われる事態を防止することができる。
【００８９】
本発明の態様４に係る携帯情報端末装置は、上記態様１から３のいずれかの１態様において、当該携帯情報端末装置の前記縦方向に直交する方向の側面に、使用者が接触した接触状態を検出する接触センサを備え、前記電力モード制御部は、前記接触センサにより前記接触状態が検出された後に非接触状態が検出され、この非接触状態が検出された時点から所定の第１時間経過後に、前記傾きセンサにて検出された、表示画面に平行な方向の前記縦方向からの傾き角度が所定範囲内である場合に、前記電力モード切替え動作を行わない構成としてもよい。
【００９０】
上記の構成によれば、電力モード制御部は、接触センサにより接触状態が検出された後に非接触状態が検出され、この非接触状態が検出された時点から所定の第１時間経過後に、傾きセンサにて検出された、表示画面に平行な方向の縦方向からの傾き角度が所定範囲内である場合に、電力モード切替え動作を行わない。
【００９１】
上記の場合は、使用者による携帯情報端末装置のグリップ状態→非グリップ状態（縦持ち状態から横持ち状態への移行途中）→横持ち状態、という保持状態の遷移が想定される。したがって、上記の構成によれば、上記態様２の場合と同様、近接センサが使用者の指を近接した物体として検出し、誤って電力モード切替え動作が行われる事態を防止することができる。
【００９２】
本発明の態様５に係る携帯情報端末装置は、上記態様１から４のいずれかの１態様において、前記電力モード制御部は、前記傾きセンサにより、当該携帯情報端末装置が、前記縦方向に直交しかつ前記表示画面に平行な横方向を回転の軸方向として、背面側へ倒れる方向に傾いた状態から、直立方向へ起き上がった状態が検出され、この起き上がった状態が所定の第２時間継続し、前記近接センサにより物体の近接が検出された場合に、前記電力モード切替え動作を行う構成としてもよい。
【００９３】
上記の構成によれば、電力モード制御部は、傾きセンサにより、当該携帯情報端末装置が、縦方向に直交しかつ表示画面に平行な横方向を回転の軸方向として、背面側へ倒れる方向に傾いた状態から、直立方向へ起き上がった状態が検出され、この起き上がった状態が所定の第２時間継続し、近接センサにより物体の近接が検出された場合に、電力モード切替え動作を行う。
【００９４】
上記の場合は、使用者による携帯情報端末装置に対しての次のような操作が想定される。すなわち、まず、使用者が、例えばポケットに収納されている携帯情報端末装置を携帯情報端末装置の上部を握って取り出す。あるいは、時計（時間）の確認のために、上部だけがポケットから露出するように、携帯情報端末装置をポケットから引き出す。次に、携帯情報端末装置を背面側へ倒れる方向（ｐｉｔｃｈ方向）に傾けて表示画面を確認する。その後、携帯情報端末装置を直立状態とし、ポケットの内部に再度収納する。したがって、このような操作が行われた場合には、通常電力モードから省電力モードへのモード切替え制御を行うことが好ましい。これにより、携帯情報端末装置がポケットやカバン等に収納されて、不使用状態となったことを正確に検出でき、通常電力モードから省電力モードへのモード切替え制御を正確に行うことができる。
【００９５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００９６】
本発明は、例えば、スマートフォンやタブレット端末、電子ブックリーダーなどの携帯情報端末装置に利用可能である。
【符号の説明】
【００９７】
１〜３    携帯端末（携帯情報端末装置）
１１    表示入力部
１２    額縁部
１３    レシーバ
１４    近接センサ
１５    加速度センサ（傾きセンサ）
１６    グリップセンサ（接触センサ）
２１    主制御部（電力モード制御部）
２６    タッチパネル
２７    表示パネル
【図１】
2016051947.tif 000003
【図２】
2016051947.tif 000004
【図３】
2016051947.tif 000005
【図４】
2016051947.tif 000006
【図５】
2016051947.tif 000007
【図６】
2016051947.tif 000008
【図７】
2016051947.tif 000009
【図８】
2016051947.tif 000010
【図９】
2016051947.tif 000011
【図１０】
2016051947.tif 000012
【図１１】
2016051947.tif 000013
【図１２】
2016051947.tif 000014
【図１３】
2016051947.tif 000015
【図１４】
2016051947.tif 000016
【図１５】
2016051947.tif 000017
【図１６】
2016051947.tif 000018
【図１７】
2016051947.tif 000019
【国際調査報告】
2016051947.tif 000020
2016051947.tif 000021
2016051947.tif 000022
2016051947.tif 000023